Podtech/llm-jp-corpus-v4-ja_patent huggingface dataset:
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
移動通信システムにおいて端末機とネットワークとの間にＲＲＣ（Ｒａｄｉｏ  Ｒｅｓｏｕｒｃｅ  Ｃｏｎｔｒｏｌ）接続を確立するための方法であって、
該ネットワークは、該端末機にＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）を提供し、
該方法は、
該ネットワークにＲＲＣ接続要求メッセージを送信することと、
ＲＲＣ接続設定メッセージが第１のチャネルで所定の期間内に該ネットワークから受信されなかった場合に、第２のチャネルでカウント状態情報メッセージを該ネットワークから受信することと、
該カウント状態情報メッセージに基づいて、該ＲＲＣ接続要求メッセージを再送信するか否かを決定することと
を包含する、方法。
【請求項２】
前記カウント状態情報が、カウントプロセスが完了したか否かを示す、請求項１に記載の方法。
【請求項３】
前記カウント状態情報メッセージが、前記ＭＢＭＳサービスの受信を希望するセル内の全端末機に送信されるＲＲＣメッセージである、請求項１に記載の方法。
【請求項４】
前記カウント状態情報メッセージが、前記ＭＢＭＳサービスに対するカウントプロセスが完了したことを示すカウント終了命令、または該カウントプロセスが該ＭＢＭＳサービスに対して進行中であることを示すカウント実行命令を含む、請求項１に記載の方法。
【請求項５】
前記カウント状態情報メッセージが前記カウント実行命令を含む場合に、前記ＲＲＣ接続要求メッセージを再送信することか、
該カウント状態情報メッセージが前記カウント終了命令を含む場合に、該ＲＲＣ接続要求メッセージを再送信しないことか
をさらに包含する、請求項４に記載の方法。
【請求項６】
前記第２のチャネルがＭＢＭＳ制御チャネルである、請求項１に記載の方法。
【請求項７】
前記第１のチャネルが共通制御チャネルである、請求項１に記載の方法。
【請求項８】
前記カウント状態情報メッセージがＭＢＭＳアクセス情報メッセージである、請求項１に記載の方法。
【請求項９】
前記ＲＲＣ接続要求メッセージが、前記第１のチャネルを介して送信される、請求項１に記載の方法。
【請求項１０】
前記ＲＲＣ接続要求メッセージを送信することの後に、タイマーを設定して前記所定の期間を算出することをさらに包含する、請求項１に記載の方法。
【請求項１１】
前記ＲＲＣ接続要求メッセージを送信することの後に、前記第１のチャネルから前記第２のチャネルに切り替えることと、
前記所定の期間待機することの後に、該第２のチャネルから該第１のチャネルに切り替えることと
をさらに包含する、請求項１に記載の方法。
【請求項１２】
移動通信システムにおいて少なくとも１つの端末機とネットワークとの間にＲＲＣ（Ｒａｄｉｏ  Ｒｅｓｏｕｒｃｅ  Ｃｏｎｔｒｏｌ）接続を確立するための方法であって、
該ネットワークは、該少なくとも１つの端末機にＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）を提供し、
該少なくとも１つの端末機からＲＲＣ接続要求メッセージを受信することと、
第１のチャネルでＲＲＣ接続設定メッセージを送信することと、
該接続設定メッセージが所定の期間内にセル内の端末機によって受信されなかった場合に、該ＭＢＭＳサービスの受信を希望する該セル内の全端末機に、第２のチャネルでカウント状態情報メッセージを送信することと
を包含する、方法。
【請求項１３】
前記カウント状態情報が、カウントプロセスが完了したか否かを示す、請求項１２に記載の方法。
【請求項１４】
前記カウント状態情報メッセージが、前記ＭＢＭＳサービスに対するカウントプロセスが完了したことを示すカウント終了命令、または該カウントプロセスが該ＭＢＭＳサービスに対して進行中であることを示すカウント実行命令を含む、請求項１２に記載の方法。
【請求項１５】
前記第２のチャネルがＭＢＭＳ制御チャネルである、請求項１２に記載の方法。
【請求項１６】
前記第１のチャネルが共通制御チャネルである、請求項１２に記載の方法。
【請求項１７】
前記カウント状態情報メッセージがＭＢＭＳアクセス情報メッセージである、請求項１２に記載の方法。
【請求項１８】
前記ＲＲＣ接続要求メッセージが、前記第１のチャネルを介して送信される、請求項１２に記載の方法。
【請求項１９】
前記端末機は、アイドルモードまたはアイドル状態にある、請求項１に記載の方法。
【請求項２０】
前記少なくとも１つの端末機は、アイドルモードまたはアイドル状態にある、請求項１２に記載の方法。
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
合成単結晶ダイアモンドを形成する方法であって、下記の工程：
ａ）１以上の不純物および１以上の同位炭素を組み込んだ第１合成ダイアモンド層を化学蒸着法により基板上に形成する工程、および
ｂ）対応レベルの格子歪みを有する所定の格子定数を有する第１合成ダイアモンド層を形成するために、前記第１合成ダイアモンド層の形成中に前記１以上の同位炭素および前記１以上の不純物の濃度を選択する工程
を含む方法。
【請求項２】
請求項１に記載の方法により形成された単結晶合成ダイアモンド。
【請求項３】
ａ）所定の操作用に保証される特定の電気パラメータを有する電気デバイスを設計し、
ｂ）特定の電気パラメータに基づく請求項２に記載の単結晶合成ダイアモンドを形成し、そして
ｃ）単結晶合成ダイアモンドにより電気デバイスを造りだす、
工程を含む、電気デバイスを製造する方法。
【請求項４】
請求項３に記載の方法により製造された電気デバイス。
【請求項５】
ａ）所定の操作用に保証される特定の光学パラメータを有する光学デバイスを設計し、
ｂ）特定の光学パラメータに基づく請求項２に記載の単結晶合成ダイアモンドを形成し、そして
ｃ）単結晶合成ダイアモンドにより光学デバイスを造りだす、
工程を含む、光学デバイスを製造する方法。
【請求項６】
請求項５に記載の方法により製造された光学デバイス。
【請求項７】
ａ）所定の操作用に保証される特定の機械パラメータを有する産業用デバイスを設計し、
ｂ）特定の機械パラメータに基づく請求項２に記載の単結晶合成ダイアモンドを形成し、そして
ｃ）単結晶合成ダイアモンドにより機械デバイスを造りだす、
工程を含む、産業用デバイスを製造する方法。
【請求項８】
請求項７に記載の方法により製造された産業用デバイス。
【請求項９】
ａ）１以上の不純物、および
ｂ）１以上の同位炭素、を含み、これらの１以上の同位炭素および１以上の不純物が、化学蒸着法により形成される第１合成ダイアモンド層が所定の格子定数を有するように選択された濃度にある、第１合成ダイアモンド層。
【請求項１０】
ａ）その上に形成される合成ダイアモンド層内の転位の形成を低減するかまたは排除するために適合される圧縮層を形成するために、基板表面中にイオンを注入し、そして
ｂ）化学蒸着法により基板の圧縮層上に第１合成ダイアモンド層を形成する、
工程を含む合成単結晶ダイアモンドを形成する方法。
【請求項１１】
合成単結晶ダイアモンドを形成する方法であって、下記の工程：
ａ）１以上の不純物および１以上の同位炭素を組み込んだ第１合成ダイアモンド層を化学蒸着法により基板上に形成する工程、および
ｂ）対応レベルの格子歪み及び既知のスピン状態を有する所定の格子定数を有する第１合成ダイアモンド層を形成するために、前記第１合成ダイアモンド層の形成中に前記１以上の同位炭素および前記１以上の不純物の濃度を選択する工程
を含む方法。
【請求項１２】
請求項１１に記載の方法により形成された単結晶合成ダイアモンド。
【請求項１３】
電気デバイスを製造する方法であって、下記の工程：
ａ）電気デバイスにより達成されるときに、その電気デバイスが所定の操作を行うことを可能とする特定の電気パラメータのレベルを決定する工程、
ｂ）請求項１２に記載の単結晶合成ダイアモンドを形成し、そのダイアモンドで上記のような特定の電気パラメータのレベルを達成する工程、および
ｃ）前記単結晶合成ダイアモンドを電気デバイスでの使用に供し、その電気デバイスで、上記のような特定の電気パラメータのレベルを達成可能となす工程
を含む方法。
【請求項１４】
請求項１３に記載の方法により製造された電気デバイス。
【請求項１５】
光学デバイスを製造する方法であって、下記の工程：
ａ）光学デバイスにより達成されるときに、その光学デバイスが所定の操作を行うことを可能とする特定の光学パラメータのレベルを決定する工程、
ｂ）請求項１２に記載の単結晶合成ダイアモンドを形成し、そのダイアモンドで上記のような特定の光学パラメータのレベルを達成する工程、および
ｃ）前記単結晶合成ダイアモンドを光学デバイスでの使用に供し、その光学デバイスで、上記のような特定の光学パラメータのレベルを達成可能となす工程
を含む方法。
【請求項１６】
請求項１５に記載の方法により製造された光学デバイス。
【手続補正書】
【提出日】平成18年12月13日(2006.12.13)
【手続補正１】
【補正対象書類名】明細書
【補正対象項目名】０００７
【補正方法】変更
【補正の内容】
【０００７】
本明細書の内容において、“ＤＰＰ−IV阻害剤”はまたＤＰＰ−IV阻害剤の活性代謝産物およびプロドラッグのような、活性代謝産物およびプロドラッグも含むことを意図する。“代謝産物”は、ＤＰＰ−IV阻害剤が代謝されたときに産生される、ＤＰＰ−IV阻害剤の活性誘導体である。“プロドラッグ”は、代謝されてＤＰＰ−IV阻害剤になるか、または代謝されてＤＰＰ−IV阻害剤と同じ代謝産物(複数もある)となるものである。
【手続補正２】
【補正対象書類名】明細書
【補正対象項目名】００２４
【補正方法】変更
【補正の内容】
【００２４】
グループＧ２化合物に関して、ＲαはＨ、ＣＮ、Ｃ＝Ｃ−Ｒα７または−ＣＨ＝Ｎ−Ｒα８であり、そしてＡは
【化５】
2006512334.tif 000001
であり、ここで、
ａは１−５であり；
Ｄ１は−Ｇ−(ＣＨ２)ｂ−(Ｒα４)ｑ−Ｒα３であり、ここで、
ＧはＯ、ＮＨまたはＮＭｅであり；
ｂは０−１２であり；
ｑは０−５であり；
Ｄ２は、ＧがＯでないとき、Ｄ１であり；
Ｒα４はＺ−ＮＨ−(ＣＨ２)ｃ−またはＮＨ−Ｚ−(ＣＨ２)ｃ−であり、
ここで、
ｃは１−１２であり；そして
ＺはＣＯ、ＣＨ２またはＳＯ２であり；
Ｒα３はＣＯ２Ｈ；またはそのエステル、ＣＯＮＨ２、ＣＯＮＨＮＨ２、ＣＯＮＲα５Ｒα６、ＣＯＮＨＮＲα５Ｒα６、ＰＯ３Ｈまたはそのエステル、ＳＯ３Ｈ、ＳＯ２ＮＨ２、ＳＯ２ＮＲα５Ｒα６、ＯＨ、ＯＲα５、置換または非置換アリールまたはヘテロアリール、ＮＨ２、ＮＲα５Ｒα６、ＮＨＣＯ２Ｒα５、ＮＨＳＯ２ＮＲα５Ｒα６、ＮＨＣＯＲα５、ＮＨ−ＳＯ２Ｒα５、ＮＨ−ＣＨ(：ＮＲα５)ＮＲα５Ｒα６、ＮＨＣＯＮＨＲα５Ｒα６、糖、ＣＯ−アミノ糖、ＮＨＣＯ−アミノ糖または−ＮＨＣＳ−アミノ糖であり、
ここで、
【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
下記式ＩまたはＩＩで示される化合物、またはその医薬的に許容しうる塩：
【化１】
2006512319.tif 000001
式中、---で示される結合は、単結合または二重結合；
ＸはＣＨまたはＮ；
Ｙは、---で示される結合が二重結合のときはＣＨまたはＮ、または---で示される結合が単結合のときはＣＨ２またはＮＲx；
Ｒ１とＲ２の一方は、ニトロ、ハロまたは（Ｃ１−Ｃ６）アルコキシで、他方は水素、ニトロ、ハロまたは（Ｃ１−Ｃ６）アルコキシ、あるいはＲ１とＲ２は共に合して、メチレンジオキシ；
Ｒ３とＲ４の一方は、ニトロ、ハロまたは（Ｃ１−Ｃ６）アルコキシで、他方は水素、ニトロ、ハロまたは（Ｃ１−Ｃ６）アルコキシ、あるいはＲ３とＲ４は共に合して、メチレンジオキシ；
Ｒ５は可溶化基；および
Ｒxは水素または（Ｃ１−Ｃ６）アルキルであり、但し、Ｒ５が−ＯＨのとき、ＹはＮではない。
【請求項２】
ＸがＣＨである請求項１に記載の化合物。
【請求項３】
ＹがＣＨである請求項１または２に記載の化合物。
【請求項４】
Ｒ１とＲ２が共に合して、メチレンジオキシである請求項１〜３のいずれか１つに記載の化合物。
【請求項５】
Ｒ３およびＲ４が共に（Ｃ１−Ｃ６）アルコキシである請求項１〜４のいずれか１つに記載の化合物。
【請求項６】
Ｒ１とＲ２が共に合して、メチレンジオキシで、Ｒ３およびＲ４が共にメトキシである請求項５に記載の化合物。
【請求項７】
Ｒ５が（Ｃ１−Ｃ６）アルコキシカルボニル、シアノ、ハロ、ヒドロキシ、メルカプト、カルボキシ、ニトロ、ピロリジニル、ピペリジニル、イミダゾリジニル、イミダゾリニル、ピペラジニル、モルホリニル、チオモルホリニルまたは−ＮＲfＲg（ここで、ＲfおよびＲgは同一もしくは異なって、水素、（Ｃ１−Ｃ６）アルキルおよび（Ｃ３−Ｃ６）シクロアルキルから選ばれる）である請求項１〜６のいずれか１つに記載の化合物。
【請求項８】
Ｒ５が−Ｗ−Ｚ（ここで、Ｗは非存在、−（Ｃ＝Ｏ）−、−ＣＨ２−、−（Ｃ＝Ｏ）Ｏ−、−Ｏ（Ｃ＝Ｏ）−、−Ｏ−、−ＮＲa（Ｃ＝Ｏ）−、−Ｃ（＝Ｏ）ＮＲa−または−ＮＲa−；およびＺは１個以上の水可溶化基で置換された（Ｃ１−Ｃ４）アルキル；およびＲaは水素または（Ｃ１−Ｃ４）アルキル）である請求項１〜６のいずれか１つに記載の化合物。
【請求項９】
−Ｗ−Ｚが１個以上の（Ｃ１−Ｃ６）アルコキシカルボニル、シアノ、ハロ、ヒドロキシ、メルカプト、オキソ、カルボキシ、ニトロ、ピロリジニル、ピペリジニル、イミダゾリジニル、イミダゾリニル、ピペラジニル、モルホリニル、チオモルホリニルまたは−ＮＲfＲg基で置換された（Ｃ１−Ｃ４）アルキルで、ここで、ＲfおよびＲgが同一もしくは異なって、水素、（Ｃ１−Ｃ６）アルキルおよび（Ｃ３−Ｃ６）シクロアルキルから選ばれる請求項８に記載の化合物。
【請求項１０】
−Ｗ−Ｚが−ＣＨ２ＣＨ２−ＮＲfＲgで、ここで、ＲfおよびＲgがそれぞれ独立して、水素または（Ｃ１−Ｃ６）アルキルである請求項９に記載の化合物。
【請求項１１】
−Ｗ−Ｚが１個以上の（Ｃ１−Ｃ６）アルコキシカルボニル、シアノ、ハロ、ヒドロキシ、メルカプト、オキソ、カルボキシ、ニトロ、ピロリジニル、ピペリジニル、イミダゾリジニル、イミダゾリニル、ピペラジニル、モルホリニル、チオモルホリニルまたは−ＮＲfＲg基で置換された（Ｃ２−Ｃ４）アルキルアミノで、ここで、ＲfおよびＲgが同一もしくは異なって、水素、（Ｃ１−Ｃ６）アルキルおよび（Ｃ３−Ｃ６）シクロアルキルから選ばれる請求項８に記載の化合物。
【請求項１２】
−Ｗ−Ｚが１個のＮ(ＣＨ３)２基で置換された（Ｃ１−Ｃ４）アルキルアミノカルボニルである請求項８に記載の化合物。
【請求項１３】
---で示される結合が単結合である請求項１〜１２のいずれか１つに記載の化合物。
【請求項１４】
---で示される結合が二重結合である請求項１〜１２のいずれか１つに記載の化合物。
【請求項１５】
請求項１〜１４のいずれか１つに記載の化合物を、医薬的に許容しうる希釈剤または担体と組合せて成る医薬組成物。
【請求項１６】
癌の処置に使用する、請求項１〜１４のいずれか１つに記載の化合物から成る医薬組成物。
【請求項１７】
哺乳類において抗菌性、抗真菌性、抗乾癬性、抗原虫性、駆虫性または抗ウイルス性作用をもたらす、請求項１〜１４のいずれか１つに記載の化合物から成る医薬組成物。
【請求項１８】
哺乳類においてトポイソメラーゼの活性を調節する、請求項１〜１４のいずれか１つに記載の化合物から成る医薬組成物。
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
TLR作動薬およびTNF/R作動薬を、それぞれ、被験者の抗原に対する免疫応答を増大させるのに他方との組み合わせにおいて有効な量で含む、医薬組成物。
【請求項２】
TLR作動薬およびTNF/R作動薬を、それぞれ、TH1免疫応答を誘導するのに他方との組み合わせにおいて有効な量で含む、被験者においてTH1免疫応答を誘導するための医薬組成物。
【請求項３】
TLR作動薬およびTNF/R作動薬を、それぞれ、抗原特異的CD8+T細胞を活性化するのに他方との組み合わせにおいて有効な量で含む、被験者において抗原特異的CD8+T細胞を活性化するための医薬組成物。
【請求項４】
TLR作動薬およびTNF/R作動薬を、それぞれ、細胞媒介免疫応答を刺激するのに他方との組み合わせにおいて有効な量で含む、被験者において病状を処置するための医薬組成物。
【請求項５】
TLR作動薬および抗原を、それぞれ、抗原特異的メモリCD8+T細胞を活性化し、それによって抗原特異的CD8+エフェクターT細胞を産生させるのに有効な量で含む、抗原に予め曝露された被験者において抗原特異的CD8+メモリT細胞を活性化するための医薬組成物。
【請求項６】
ワクチンであって、TLR作動薬、TNF/R作動薬、および抗原を、それぞれ該ワクチンで免疫された被験者において該抗原に対する免疫応答を誘導するのに他のものとの組み合わせにおいて有効な量で含む、前記ワクチン。
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
炎症もしくは免疫の状態もしくは障害を有する被験体において、抗原に対する寛容を調節するための組成物であって、該組成物が、ＣＤ２００のアゴニストもしくはアンタゴニストを含む、組成物。
【請求項２】
前記調節が、寛容を上昇させるか、もしくは維持し、かつ前記組成物が、
ａ）ＣＤ２００のアンタゴニストを含むか；もしくは
ｂ）ＴＨ２型の応答を上昇させる、
請求項１に記載の組成物。
【請求項３】
前記アゴニストもしくはアンタゴニストが、ＣＤ２００もしくはＣＤ２００Ｒに特異的に結合する抗体の抗原結合部位由来である、請求項１に記載の組成物。
【請求項４】
前記アンタゴニストが：
ａ）ＣＤ２００；もしくは
ｂ）ＣＤ２００Ｒ
に特異的に結合する抗体である、請求項３に記載の組成物。
【請求項５】
前記アゴニストもしくはアンタゴニストが：
ａ）ポリクローナル抗体；
ｂ）モノクローナル抗体；
ｃ）ヒト化抗体；
ｄ）Ｆｖ、Ｆａｂ、もしくはＦ（ａｂ’）２フラグメント；または
ｅ）抗体のペプチド模倣物
を含む、請求項３に記載の組成物。
【請求項６】
前記アゴニストもしくはアンタゴニストが、核酸を含み、該核酸が：
ａ）ＣＤ２００もしくはＣＤ２００Ｒをコードするか；または
ｂ）ＣＤ２００もしくはＣＤ２００Ｒをコードするポリヌクレオチドに特異的に結合する、請求項１に記載の組成物。
【請求項７】
前記核酸が：
ａ）アンチセンス核酸；
ｂ）ＲＮＡ干渉核酸；もしくは
ｃ）前記被験体のゲノムにおける、生物活性なＣＤ２００もしくはＣＤ２００Ｒの発現を減少させる遺伝的変異
を含む、請求項６に記載の組成物。
【請求項８】
前記状態もしくは障害が、自己免疫状態もしくは自己免疫障害を含む、請求項１に記載の組成物。
【請求項９】
前記状態もしくは障害が：
ａ）ブドウ膜網膜炎；
ｂ）移植片拒絶もしくは移植組織拒絶；
ｃ）糖尿病；
ｄ）多発性硬化症；
ｅ）炎症性腸障害（ＩＢＤ）；
ｆ）慢性関節リウマチ；または
ｇ）喘息もしくはアレルギーを含む、請求項１に記載の組成物。
【請求項１０】
寛容が：
ａ）鼻腔内で；
ｂ）腸内で；
ｃ）経口で；
ｄ）非経口で；
ｅ）静脈内で；もしくは
ｆ）粘膜で
誘導される、請求項１に記載の組成物。
【請求項１１】
前記上昇もしくは維持が、組織学的スコアの改善を含む、請求項２に記載の組成物。
【請求項１２】
前記改善が：
ａ）炎症細胞の湿潤；もしくは
ｂ）構造組織の損傷
の減少を含む、請求項１１に記載の組成物。
【請求項１３】
ａ）前記細胞の湿潤が、網膜において起こるか；もしくは
ｂ）前記組織の損傷が、光受容細胞の損傷である、
請求項１２に記載の組成物。
【請求項１４】
前記障害もしくは状態が、免疫の結果として生じる、請求項１１に記載の組成物。
【請求項１５】
前記ＴＨ２型の応答が：
ａ）ＩＬ−４；
ｂ）ＩＬ−５；
ｃ）ＩＬ−１０；もしくは
ｄ）ＩＬ−１３
であるサイトカインの発現もしくはレベルの検出可能な上昇を含む、請求項２に記載の組成物。
【請求項１６】
前記ＴＨ２サイトカインの発現もしくはレベルが、ＣＤ２００アンタゴニストのない場合よりもＣＤ２００アンタゴニストを用いた場合に、少なくとも２倍大きい、請求項１５に記載の組成物。
【請求項１７】
請求項１に記載の組成物であって、ここで、ＣＤ２００アンタゴニストにより処置されない寛容化被験体に比べて、ＣＤ２００アンタゴニストにより処置された寛容化被験体において、免疫細胞の増殖が検出可能に減少もしくは阻害される、組成物。
【請求項１８】
ＣＤ２００アンタゴニストを用いた免疫細胞の増殖が、ＣＤ２００アンタゴニストのない増殖の：
ａ）７５％以下；もしくは
ｂ）５０％以下
である、請求項１７に記載の組成物。
【請求項１９】
前記免疫細胞が、脾臓細胞である、請求項１７に記載の組成物。
【請求項２０】
請求項１に記載の組成物であって、ここで、前記ＣＤ２００アンタゴニストのない場合に比べて、該ＣＤ２００アンタゴニストが、結果として、ＳＴＡＴ６の発現もしくは活性化の検出可能な上昇をもたらす、組成物。
【請求項２１】
請求項１に記載の組成物であって、ここで、前記ＣＤ２００アンタゴニストのない場合に比べて、該ＣＤ２００アンタゴニストを用いて：
ａ）Ｔ調節細胞（Ｔｒｅｇ）；もしくは
ｂ）ＩＬ−１０発現細胞；
の活性もしくはレベルの検出可能な上昇が存在する、組成物。
【請求項２２】
請求項２１に記載の組成物であって、ここで：
ａ）前記Ｔｒｅｇが、ＣＤ３＋ＣＤ４＋ＣＤ２５＋のＴ細胞を含むか；または
ｂ）前記ＩＬ−１０発現細胞が：
ｉ）ＣＤ１１ｂ−；
ｉｉ）ＣＤ１１ｂ−、ＣＤ１１ｃ−／ｌｏｗ、ＣＤ３−、Ｂ２２０−、ＣＤ４５ＲＢｉｎｔｅｒｍｅｄｉａｔｅ；もしくは
ｉｉｉ）形質細胞の樹状細胞
である、
組成物。
【請求項２３】
前記調節が減少であり、かつ前記組成物が、ＣＤ２００のアゴニストを含む、請求項１に記載の組成物。
【請求項２４】
前記免疫の状態もしくは障害が：
ａ）持続性の感染；もしくは
ｂ）癌
である、請求項２３に記載の組成物。
【請求項２５】
前記調節が：
ａ）ＴＨ２応答を減少させるか；または
ｂ）調節性Ｔ細胞（Ｔｒｅｇ）の活性もしくはレベルを減少させるかもしくは阻害する、
請求項２３に記載の組成物。
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
膀胱の内腔表面を、形質導入増強剤を含む前処理組成物と接触させ、
ついで膀胱の内腔表面を、膀胱上皮に選択的に発現を呈する腫瘍細胞崩壊性アデノウイルスを含む組成物と接触させることを含んでなる、膀胱上皮由来の表在性膀胱癌の治療方法であって、形質導入増強剤が、12以上の炭素を含む親油性側鎖を有する二糖であることを特徴とする、前記治療方法。
【請求項２】
形質導入増強剤が、親油性置換基を有する二糖であり、該二糖が、スクロース、ラクトース、マルトース、イソマルトース、トレハロースおよびセロビオースよりなる群から選ばれる、請求項1記載の方法。
【請求項３】
形質導入増強剤が、以下の一般式（I）：
【化１】
2006512398.tif 000001
（式中、Xは硫黄または酸素原子であり、各R2は、独立して、水素または、
【化２】
2006512398.tif 000002
により表される部分であり、R1はアルキルまたはアルケニル基を表す）を有する、請求項1記載の方法。
【請求項４】
形質導入増強剤が化学式：
【化３】
2006512398.tif 000003
（式中、nは11〜14であり、右側の単糖の第１炭素がアルファ又はベータ配置である）を有する、請求項1記載の方法。
【請求項５】
nが11である、請求項4記載の方法。
【請求項６】
前処理組成物が約0.02〜約0.5重量％の形質導入増強剤を含む、請求項5記載の方法。
【請求項７】
形質導入増強剤が化学式：
【化４】
2006512398.tif 000004
（式中、nは11〜14であり、右側の単糖の第１炭素がアルファ又はベータ配置である）を有する、請求項1記載の方法。
【請求項８】
nが6である、請求項7記載の方法。
【請求項９】
前処理組成物が約0.1重量％の該形質導入増強剤を含む、請求項8記載の方法。
【請求項１０】
腫瘍細胞崩壊性アデノウイルスがCG8840である、請求項1記載の方法。
【請求項１１】
該腫瘍細胞崩壊性ウイルス組成物が化学療法剤を更に含む、請求項1記載の方法。
【請求項１２】
化学療法剤がドセタキセルである、請求項11記載の方法。
【請求項１３】
腫瘍細胞崩壊性ウイルスを含む組成物と膀胱の内腔表面との接触が、約50〜約500mlの該腫瘍細胞崩壊性ウイルス組成物を点滴により膀胱に運搬することを含む、請求項1記載の方法。
【請求項１４】
該腫瘍細胞崩壊性ウイルス組成物が約1×1011〜約1×1014個のウイルス粒子を含む、請求項1記載の方法。
【請求項１５】
前処理組成物と膀胱の内腔表面との接触が、前処理組成物を点滴により膀胱に運搬することを含む、請求項1記載の方法。
【請求項１６】
前処理組成物との接触後であって該腫瘍細胞崩壊性ウイルス組成物との接触前に、膀胱の内腔表面を洗浄することを更に含む、請求項1記載の方法。
【請求項１７】
前処理組成物を膀胱の内腔表面と約5分間接触させる、請求項1記載の方法。
【請求項１８】
前処理組成物が酸化剤を更に含む、請求項1記載の方法。
【請求項１９】
酸化剤が、次亜塩素酸、過酸化水素およびペルオキシ酢酸よりなる群から選ばれる、請求項18記載の方法。
【請求項２０】
親油性置換基がアルカン基を含む、請求項1記載の方法。
【請求項２１】
親油性置換基がアルカン酸残基である、請求項1記載の方法。
【請求項２２】
形質導入増強剤が化学式：
【化５】
2006512398.tif 000005
（式中、R1はアルキルまたはアルケニル基を表す）を有する、請求項1記載の方法。
【請求項２３】
R1が、
【化６】
2006512398.tif 000006
により表される、請求項22記載の方法。
【請求項２４】
12以上の炭素を含む、親油性置換基を有する二糖である形質導入増強剤と、尿路上皮選択性のプロモーターを有し、膀胱内皮に選択的な発現を呈する腫瘍細胞崩壊性アデノウイルスとを含んでなる組成物。
【請求項２５】
形質導入増強剤が、以下の一般式（I）：
【化７】
2006512398.tif 000007
（式中、Xは硫黄または酸素原子であり、各R2は、独立して、水素または、
【化８】
2006512398.tif 000008
により表される部分であり、R1はアルキルまたはアルケニル基を表す）を有する化合物である、請求項24記載の組成物。
【請求項２６】
腫瘍細胞崩壊性アデノウイルスがCG8840である、請求項24記載の組成物。
【請求項２７】
化学療法剤を更に含む、請求項24記載の組成物。
【請求項２８】
化学療法剤がドセタキセルである、請求項27記載の組成物。
【請求項２９】
膀胱の内腔表面を請求項24記載の組成物と接触させることを含む、膀胱内皮由来の表在性膀胱癌の治療方法。
【手続補正書】
【提出日】平成18年12月14日(2006.12.14)
【手続補正１】
【補正対象書類名】明細書
【補正対象項目名】００２０
【補正方法】変更
【補正の内容】
【００２０】
本発明のさらに別の態様において、Ｒ１１、Ｒ１２、Ｒ１４、Ｒ１７、およびＲ１９は、Ｃ１−８アルキル(所望により、ハロ(例えばフルオロ)によって置換されている)、フェニル(所望により上記のように置換されている)、Ｃ３−６シクロアルキル(所望により、ハロ(例えばフルオロ)によって置換されている)、またはＣ結合窒素含有複素環(所望により環窒素で置換されている)である。
本発明の別の態様において、Ｒ１は、ＮＲ１３Ｃ(Ｏ)Ｒ１４であり、Ｒ１３とＲ１４は、上記で定義した通りである。
【手続補正２】
【補正対象書類名】明細書
【補正対象項目名】００５４
【補正方法】変更
【補正の内容】
【００５４】
本発明のさらなる特徴によって、ケモカイン受容体活性の調節が必要な温血動物(例えばヒト)において、ケモカイン受容体活性(特にＣＣＲ５受容体活性)を調節する方法であって、該動物に有効量の本発明の化合物またはその薬学的に許容される塩もしくは溶媒和物を投与することを含む方法を提供する。
【手続補正３】
【補正対象書類名】明細書
【補正対象項目名】００６０
【補正方法】変更
【補正の内容】
【００６０】
本発明は、さらに、温血動物(例えばヒト)において、ケモカイン介在疾病状態(特にＣＣＲ５介在疾病状態)を処置する方法であって、該処置が必要な哺乳動物に、有効量の式(I)、(Ia)、(Ib)、(Ic)、(Id)、または(Ie)の化合物、またはその薬学的に許容される塩もしくは溶媒和物を投与することを含む方法を提供する。
温血動物(例えばヒト)の治療的処置、特にケモカイン受容体(例えばＣＣＲ５受容体)活性を調節するために、本発明の化合物またはその薬学的に許容される塩もしくは溶媒和物を使用するために、該成分を、通常、標準的な製薬上の常法によって、医薬組成物として製剤化する。
【手続補正４】
【補正対象書類名】明細書
【補正対象項目名】００７２
【補正方法】変更
【補正の内容】
【００７２】
本発明は、さらに、式(Ｉ)の化合物またはその薬学的に許容される塩、溶媒和物、もしくはその塩の溶媒和物、または式(Ｉ)の化合物またはその薬学的に許容される塩、溶媒和物、もしくはその塩の溶媒和物を含む医薬組成物を、上記の疾病状態の何れか１つを処置するための薬剤と、同時に(可能ならば同じ組成物中で)、または連続して投与する、組み合わせ治療または組み合わせ組成物に関する。
【手続補正５】
【補正対象書類名】明細書
【補正対象項目名】０１３２
【補正方法】変更
【補正の内容】
【０１３２】
１,４−ジオキサン(５ml)中の(３Ｓ)−３−ヒドロキシ−３−フェニルプロピル ４−メチルベンゼンスルホネート(８４４mg, CAS No. 156453-52-0)の溶液を、１,４−ジオキサン(１５ml)中の、Ｎ−(４−フルオロフェニル)−２−ピペリジン−４−イルアセトアミド塩酸塩(７５０mg, 方法Ｂによって製造, Ｍ＋Ｈ  ２３７)と、トリエチルアミン(０.３８ml)と、炭酸カリウム(５７２mg)の混合物に加え、混合物を撹拌し、９０℃で４時間加熱した。反応混合物を蒸発乾固し、残渣をジクロロメタン(２０ml)に溶解し、水(２０ml)で、そして塩水(２０ml)で洗浄し、乾燥した。溶媒を除去し、残渣を 20g Silica Bond-elut column のクロマトグラフィーによって、酢酸エチル−２０％メタノール／酢酸エチルの溶媒濃度勾配を用いて精製した。
収量７３３mg, Ｍ＋Ｈ  ３７１.
【手続補正６】
【補正対象書類名】明細書
【補正対象項目名】０１４０
【補正方法】変更
【補正の内容】
【０１４０】
スキーム４
例えばＲ１がＮＲ１３Ｃ（Ｏ）Ｒ１４である本発明の化合物の製造
【化４７】
2006512364.tif 000001
i) 還元的アミノ化 (Ｒ３がＨならばトリアセトキシ水素化ホウ素ナトリウムを用いることができ；Ｒ３がアルキルならばチタニウム テトライソプロポキシドおよびトリアセトキシ水素化ホウ素ナトリウムを用いることができる)
ii) 脱保護 (例えばＴＦＡ)
iii) アミド結合形成 (例えば酸塩化物, 活性エステルまたはカルボジイミドが介在)
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
（ａ）コレステリルエステル転移タンパク質阻害剤および基体からなる固体の非晶質吸着物；および
（ｂ）ＨＭＧ−ＣｏＡレダクターゼ阻害剤
からなる組成物。
【請求項２】
組成物が濃度増大性ポリマーをさらに含む、請求項１記載の組成物。
【請求項３】
固体の非晶質吸着物が濃度増大性ポリマーをさらに含む、請求項２記載の組成物。
【請求項４】
濃度増大性ポリマーが中性非セルロースポリマー、イオン化可能な非セルロースポリマー、中性セルロースポリマー、イオン化可能なセルロースポリマー、酸性ポリマー、中和された酸性ポリマーおよびそのブレンドからなる群より選択される、請求項２または３記載の組成物。
【請求項５】
コレステリルエステル転移タンパク質阻害剤が式Ｉ、式II、式III、式IV、式Ｖ、式VI
、式VII、式VIII、式IX、式Ｘ、式XI、式XII、式XIII、式XIV、式XV、式XVI、式XVII、式XVIII、および式XIXの化合物からなる群より選択される、請求項１〜３のいずれか１項記載の組成物。
【請求項６】
コレステリルエステル転移タンパク質阻害剤が［２Ｒ,４Ｓ］−４−［アセチル−（３,５−ビス−トリフルオロメチル−ベンジル）−アミノ］−２−エチル−６−トリフルオロメチル−３,４−ジヒドロ−２Ｈ−キノリン−１−カルボン酸イソプロピルエステル、［２Ｒ,４Ｓ］−４−［（３,５−ビス−トリフルオロメチル−ベンジル）−メトキシカルボニル−アミノ］−２−エチル−６−トリフルオロメチル−３,４−ジヒドロ−２Ｈ−キノリン−１−カルボン酸エチルエステル、（２Ｒ）−３−［［３−（４−クロロ−３−エチルフェノキシ）フェニル］［［３−（１,１,２,２−テトラフルオロエトキシ）フェニル］メチル］アミノ］−１,１,１−トリフルオロ−２−プロパノールおよび［２Ｒ,４Ｓ］４−［（３,５−ビス−トリフルオロメチル−ベンジル）−メトキシカルボニル−アミノ］−２−エチル−６−トリフルオロメチル−３,４−ジヒドロ−２Ｈ−キノリン−１−カ
ルボン酸イソプロピルエステルからなる群より選択される、請求項１〜３のいずれか１項記載の組成物。
【請求項７】
ＨＭＧ−ＣｏＡレダクターゼ阻害剤がフルバスタチン、ロバスタチン、プラバスタチン、アトルバスタチン、シンバスタチン、セリバスタチン、リバスタチン、メバスタチン、ベロスタチン、コムパクチン、ダルバスタチン、フルインドスタチン、ロスバスタチン、ピチバスタチン、ジヒドロコンパクチンおよびその製薬上許容される形態からなる群より選択される、請求項１〜３のいずれか１項記載の組成物。
【請求項８】
ＨＭＧ−ＣｏＡレダクターゼ阻害剤がアトルバスタチン、アトルバスタチンの環化されたラクトン形態、このような化合物の２−ヒドロキシ、３−ヒドロキシまたは４−ヒドロキシ誘導体、およびその製薬上許容される形態からなる群より選択される、請求項１〜３のいずれか１項記載の組成物。
【請求項９】
トルセトラピブならびに、アトルバスタチンおよびその製薬上許容される形態からなる群より選択されるＨＭＧ−ＣｏＡレダクターゼ阻害剤を含む、請求項１〜３のいずれか１項記載の組成物。
【請求項１０】
組成物が、インビボまたはインビトロの使用のための水性環境に投与後、以下
（ａ）本質的にコレステリルエステル転移タンパク質阻害剤だけからなる対照組成物と比較して、少なくとも１.２５倍の、使用環境におけるコレステリルエステル転移タンパク質阻害剤の最大濃度の改善；
（ｂ）本質的にコレステリルエステル転移タンパク質阻害剤だけからなる対照組成物の少なくとも１．２５倍である、使用環境への導入の時間から使用環境への導入後約２７０分の間の少なくとも９０分の任意の期間の、使用環境中のコレステリルエステル転移タンパク質阻害剤の濃度対時間曲線下面積；
（ｃ）本質的にコレステリルエステル転移タンパク質阻害剤だけからなる対照組成物と比較して少なくとも１.２５倍のコレステリルエステル転移タンパク質阻害剤の相対的バイオアベイラビリティーの改善；および
（ｄ）本質的にコレステリルエステル転移タンパク質阻害剤だけからなる対照組成物と比較して少なくとも１.２５倍の血中コレステリルエステル転移タンパク質阻害剤の最大濃度の改善、
の少なくとも１つを与える、請求項１〜３のいずれか１項記載の組成物。
【請求項１１】
固体の非晶質吸着物が溶解促進剤をさらに含む、請求項１〜３のいずれか１項記載の組成物。
【請求項１２】
固体の非晶質吸着物が少なくとも０.００５分-1の溶解速度定数を有する、請求項１〜３のいずれか１項記載の組成物。
【請求項１３】
基体が約２００ｍ2／ｇまたはそれ以上の表面積を有する、請求項１〜３のいずれか１
項記載の組成物。
【請求項１４】
請求項１〜１３のいずれか１項記載の組成物を含む、カプセル剤、丸剤および錠剤からなる群より選択される剤形。
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
バニロイドＶＲ−１アンタゴニストまたはその医薬上許容される誘導体およびＮＳＡＩＤまたはその医薬上許容される誘導体ならびに医薬上許容される担体を含む、痛みに付随する症状を治療するための、あるいはそれに伴う徴候を緩和するための医薬組成物。
【請求項２】
ＶＲ−１アンタゴニストまたはＮＳＡＩＤを最大下の量にて含むところの、請求項１記載の医薬組成物。
【請求項３】
ＮＳＡＩＤがＣＯＸ−２阻害剤またはその医薬上許容される誘導体であるところの、請求項１または請求項２記載の医薬組成物。
【請求項４】
ＣＯＸ−２阻害剤が２−（４−エトキシ−フェニル）−３−（４−メタンスルホニル−フェニル）−ピラゾロ［１,５−ｂ］ピリダジン、ＣＤＣ−５０１、セレコキシブ、ＣＯＸ−１８９、４−（２−オキソ−３−フェニル−２,３−ジヒドロオキサゾール−４−イル）ベンゼンスルホンアミド、ＣＳ−１７９、ＣＳ−５０２、Ｄ−１３６７、ダルブフェロン、ＤＦＰ、ＤＲＦ−４３６７、エトドラク、フロスリド、ＪＴＥ−５２２（４−（４−シクロヘキシル−２−メチル−５−オキサゾリル）−２−フルオロベンゼンスルホンアミド）、Ｌ−７４５３３７、Ｌ−７６８２７７、Ｌ−７７６９６７、Ｌ−７８３００３、Ｌ−７９１４５６、Ｌ−８０４６００、メロキシカム、ＭＫ６６３（エトリコキシブ）、ニメスリド、ＮＳ−３９８、パレコキシブ、１−メチルスルホニル−４−（１,１−ジメチル−４−（４−フルオロフェニル）シクロペンタ−２,４−ジエン−３−イル）ベンゼン、４−（１,５−ジヒドロ−６−フルオロ−７−メトキシ−３−（トリフルオロメチル）−（２）−ベンゾチオピラノ（４,３−ｃ）ピラゾール−１−イル）ベンゼンスルホンアミド、４,４−ジメチル−２−フェニル−３−（４−メチルスルホニル）フェニル）シクロブテノン、４−アミノ−Ｎ−（４−（２−フルオロ−５−トリフルオロメチル）−チアゾール−２−イル）−ベンゼンスルホンアミド、１−（７−tert−ブチル−２,３−ジヒドロ−３,３−ジメチル−５−ベンゾ−フラニル）−４−シクロプロピルブタン−１−オン、ファーマプロジェクト６０８９号（コトブキ製薬）、ロフェコキシブ、ＲＳ−１１３４７２、ＲＷＪ−６３５５６、Ｓ−２４７４、Ｓ−３３５１６、ＳＣ−２９９、ＳＣ−５７５５、バルデコキシブ、ＵＲ−８８７７、ＵＲ−８８１３、ＵＲ−８８８０あるいはその生理学上許容される塩または溶媒和物から選択されるところの、請求項３記載の医薬組成物。
【請求項５】
ＣＯＸ−２阻害剤がセレコキシブ、ロフェコキシブ、バルデコキシブ、パレコキシブ、４−（４−シクロヘキシル−２−メチル−５−オキサゾリル）−２−フルオロベンゼンスルホンアミド（ＪＴＥ−５２２）および２−（４−エトキシ−フェニル）−３−（４−メタンスルホニル−フェニル）−ピラゾロ［１,５−ｂ］ピリダジンあるいはその生理学上許容される塩または溶媒和物であるところの、請求項３記載の医薬組成物。
【請求項６】
ＣＯＸ−２阻害剤が２−（４−エトキシ−フェニル）−３−（４−メタンスルホニル−フェニル）−ピラゾロ［１,５−ｂ］ピリダジンあるいはその生理学上許容される塩または溶媒和物であるところの、請求項５記載の医薬組成物。
【請求項７】
ＣＯＸ−２阻害剤がロフェコキシブあるいはその生理学上許容される塩または溶媒和物であるところの、請求項５記載の医薬組成物。
【請求項８】
バニロイド受容体（ＶＲ−１）アンタゴニストが、英国特許出願ＧＢ０３０３４６４.２、ＧＢ０３０５２９１.７、ＧＢ０３０５２９０.９、ＧＢ０３０５１６５.３、ＧＢ０３０５４２６.９、ＧＢ０３０５２８５.９、ＧＢ０３０５１６３.８およびＧＢ０３１６５５４.５；国際特許出願番号ＰＣＴ／ＥＰ０３／１０２６２；および国際特許出願ＷＯ０２／０７２５３６、ＷＯ０２／０９０３２６、ＷＯ０３／０２２８０９、ＷＯ０３／０５３９４５およびＷＯ０３／０６８７４９、ＷＯ０２／０８２２１、ＷＯ０３／０６２２０９、ＷＯ０２／１６３１７、ＷＯ０２／１６３１８、ＷＯ０２／１６３１９、ＷＯ０２／３０９５６、ＷＯ０２／０７６９４６、ＷＯ０３／０４９７０２、ＷＯ０３／０７０２４７、ＷＯ０３／０６６５９５、ＷＯ０３／０７４５２０、ＷＯ０３／０１４０６４、ＷＯ０３／０５５４８４、ＷＯ０３／０９５４２０およびＷＯ０３／０８０５７８に開示されている化合物より選択されるところの、上記した請求項のいずれかに記載される医薬組成物。
【請求項９】
バニロイド受容体（ＶＲ−１）アンタゴニストが（２Ｒ）−４−（３−クロロピリジン−２−イル）−２−メチル−Ｎ−［４−トリフルオロメチル）フェニル］ピペラジン−１−カルボキシアミドまたはＮ−（２−ブロモフェニル）−Ｎ’−［（（Ｒ）−１−（５−トリフルオロメチル−２−ピリジル）ピロリジン−３−イル）］尿素あるいはその生理学上許容される塩または溶媒和物であるところの、請求項８記載の医薬組成物。
【請求項１０】
ＶＲ−１アンタゴニストがＮ−（２−ブロモフェニル）−Ｎ’−［（（Ｒ）−１−（５−トリフルオロメチル−２−ピリジル）ピロリジン−３−イル）］またはその医薬上許容される誘導体であり、ＮＳＡＩＤが２−（４−エトキシ−フェニル）−３−（４−メタンスルホニル−フェニル）−ピラゾロ［１,５−ｂ］ピリダジンまたはその医薬上許容される誘導体であるところの、請求項１記載の医薬組成物。
【請求項１１】
ＶＲ−１アンタゴニストがＮ−（２−ブロモフェニル）−Ｎ’−［（（Ｒ）−１−（５−トリフルオロメチル−２−ピリジル）ピロリジン−３−イル）］またはその医薬上許容される誘導体であり、ＮＳＡＩＤがロフェコキシブまたはその医薬上許容される誘導体であるところの、請求項１記載の医薬組成物。
【請求項１２】
バニロイドＶＲ−１アンタゴニストまたはその医薬上許容される誘導体と、ＮＳＡＩＤまたはその医薬上許容される誘導体と、そのための医薬上許容される担体とを含む医薬組成物；ただし該ＶＲ−１アンタゴニストは国際特許出願公開番号ＷＯ０２／０７６９４６に開示されている以外の化合物である。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
組成物の1100 mg/mlまでのイホスファミドと、2-ヒドロキシプロピル-β-シクロデキストリンとを含む、非経口投与用の低減された毒性を有する安定で透明な水性イホスファミド組成物。
【請求項２】
2-ヒドロキシプロピル-β-シクロデキストリン中のヒドロキシプロピル基によるモル置換が0.05〜2である、請求項１記載のイホスファミド組成物。
【請求項３】
2-ヒドロキシプロピル-β-シクロデキストリン中のヒドロキシプロピル基によるモル置換が0.3〜1.5である、請求項１又は２のいずれかに記載のイホスファミド組成物。
【請求項４】
イホスファミド対2-ヒドロキシプロピル-β-シクロデキストリンのモル比が100：0.1〜1：300である、請求項１〜３のいずれか１項記載のイホスファミド組成物。
【請求項５】
イホスファミド対2-ヒドロキシプロピル-β-シクロデキストリンのモル比が100：1〜1：20である、請求項１〜４のいずれか１項記載のイホスファミド組成物。
【請求項６】
イホスファミド対2-ヒドロキシプロピル-β-シクロデキストリンのモル比が100：3.3〜1：2.5である、請求項１〜５のいずれか１項記載のイホスファミド組成物。
【請求項７】
緩衝剤、等張化剤、防腐剤、キレート化剤、酸化防止剤、結晶化防止剤のような物質群から選ばれる製薬上許容し得る添加剤をさらに含む、請求項１記載のイホスファミド組成物。
【請求項８】
前記組成物のイホスファミド含有量が1〜200mg/mlである、請求項１〜７のいずれか１項記載のイホスファミド組成物。
【請求項９】
前記組成物のイホスファミド含有量が200〜500mg/mlである、請求項１〜８のいずれか１項記載のイホスファミド組成物。
【請求項１０】
前記組成物のイホスファミド含有量が500〜1000mg/mlである、請求項１〜８のいずれか１項記載のイホスファミド組成物。
【請求項１１】
前記組成物のpHが3.0〜9.0である、請求項１〜１０のいずれか１項記載のイホスファミド組成物。
【請求項１２】
前記緩衝剤が、リン酸二水素ナトリウム、リン酸水素二ナトリウム、リン酸水素二カリウム、リン酸二水素カリウム、リン酸、ヒスチジンヒドロクロライド、水酸化ナトリウム、塩酸及びこれらの混合物のような緩衝剤群から選ばれる、請求項７記載のイホスファミド組成物。
【請求項１３】
前記緩衝剤が、リン酸二水素ナトリウムとリン酸水素二ナトリウムの混合物である、請求項１２記載のイホスファミド組成物。
【請求項１４】
下記の工程を含むことを特徴とする、請求項１〜１３のいずれか１項記載のイホスファミド組成物の製造方法：
i) イホスファミド、2-ヒドロキシプロピル-β-シクロデキストリン及び水を緊密に接触させる工程；
ii) 工程(i)の終了時にそのようにして得られた組成物を滅菌性とする工程。
【請求項１５】
イホスファミド、2-ヒドロキシプロピル-β-シクロデキストリン及び水を緊密に接触させながら、必要量の製薬上許容し得る添加剤を添加することをさらに含む、請求項１４記載のイホスファミド組成物の製造方法。
【請求項１６】
前記組成物を、滅菌0.2μm滅菌級フィルターに通すことによって滅菌性とする、請求項１４〜１５のいずれか１項記載のイホスファミド組成物の製造方法。
【請求項１７】
前記滅菌組成物を滅菌容器に無菌的に移し、前記容器のヘッドスペース内の空気を不活性ガスによって掃気し、そして前記容器を密封する各工程をさらに含む、請求項１４〜１６のいずれか１項記載のイホスファミド組成物の製造方法。
【請求項１８】
組成物が1ミリリットルあたり、イホスファミド：50 mg、2-ヒドロキシプロピル-β-シクロデキストリン：100 mg、リン酸二水素ナトリウム：0.3 mg及びリン酸水素二ナトリウム：0.5 mgを含む、請求項１記載の非経口投与用の低減された毒性を有する安定で透明な水性イホスファミド組成物。
【請求項１９】
組成物が1ミリリットルあたり、イホスファミド：500 mgと、2-ヒドロキシプロピル-β-シクロデキストリン：400 mgとを含む、請求項１記載の非経口投与用の低減された毒性を有する安定で透明な水性イホスファミド組成物。
【請求項２０】
組成物が1ミリリットルあたり、イホスファミド：1000 mgと、2-ヒドロキシプロピル-β-シクロデキストリン：50 mgとを含む、請求項１記載の非経口投与用の低減された毒性を有する安定で透明な水性イホスファミド組成物。
【請求項２１】
明細書及び例に実質的に記載しているような、イホスファミド組成物及びその製造方法。
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
連続相に分散された複数の表面改質有機分子を含む液体連続相であって、前記有機分子がフラーレン、デンドリマー、またはそれらの組合せから選択される液体連続相と、
前記連続相に分散された気体分散相とを含む発泡体。
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
物品の製造に有用な熱可塑性ポリマー成形用組成物であって、当該成形用組成物がポリオルガノシロキサン−ポリカーボネートブロックコポリマーと流動性向上剤を含んでなり、流動性向上剤がポリアルキレングリコール化合物及びポリアルキレングリコール化合物と重量平均分子量１０００〜１００００の低重量平均分子量ポリカーボネートポリマーとの混合物からなる群から選択され、流動性向上剤の添加量が成形用組成物を物品に成形したときの表面欠陥を低減するのに有効な量である、成形用組成物。
【請求項２】
当該成形用組成物がさらに１種以上の第二のポリカーボネートポリマーを含む、請求項１記載の成形用組成物。
【請求項３】
当該成形用組成物１００部当たり０．０５〜２０部の流動性向上剤を含む、請求項１記載の成形用組成物。
【請求項４】
前記ポリオルガノシロキサン−ポリカーボネートブロックコポリマーが、次式のポリオルガノシロキサンブロック：
【化１】
2006512447.tif 000001
（式中、Ｒ2及びＲ3は各々独立に水素、ヒドロカルビル又はハロゲン置換ヒドロカルビルであり、Ｒ4は水素、ヒドロカルビル、ヒドロカルビルオキシ又はハロゲンであり、「ｂ」は３０〜７０の値を有する整数である。）と次式のポリカーボネートブロック：
【化２】
2006512447.tif 000002
（式中、Ｇ1は芳香族基であり、Ｅはアルキレン、アルキリデン、脂環式基、含イオウ結合、含リン結合、エーテル結合、カルボニル基又は第三窒素基であり、Ｒ5は水素又は一価炭化水素基であり、Ｙ1は水素、一価炭化水素基、アルケニル、アリル、ハロゲン、臭素、塩素、ニトロからなる群から選択され、「ｍ」は０からＧ1上の置換可能な部位の数までの整数を表し、「ｎ」は０からＥ上の置換可能な部位の数までの整数を表し、「ｔ」は１以上の整数を表し、「ｓ」は０又は１であり、「ｕ」は０を含めた整数を表す。）とを含む、請求項１記載の成形用組成物。
【請求項５】
前記ポリオルガノシロキサン−ポリカーボネートブロックコポリマーが２００００〜８００００の重量平均分子量を有する、請求項１記載の成形用組成物。
【請求項６】
前記１種以上の第二のポリカーボネートポリマーが２００００〜８００００の重量平均分子量を有する、請求項２記載の成形用組成物。
【請求項７】
前記１種以上の第二のポリカーボネートポリマーが次式の１種以上のビスフェノールから誘導された構造単位を含む、請求項２記載の成形用組成物。
【化３】
2006512447.tif 000003
式中、Ｇ1は芳香族基であり、Ｅはアルキレン、アルキリデン、脂環式基、含イオウ結合、含リン結合、エーテル結合、カルボニル基又は第三窒素基であり、Ｒ5は水素又は一価炭化水素基であり、Ｙ1は水素、一価炭化水素基、アルケニル、アリル、ハロゲン、臭素、塩素、ニトロからなる群から選択され、「ｍ」は０からＧ1上の置換可能な部位の数までの整数を表し、「ｎ」は０からＥ上の置換可能な部位の数までの整数を表し、「ｔ」は１以上の整数を表し、「ｓ」は０又は１であり、「ｕ」は０を含めた整数を表す。
【請求項８】
前記ポリアルキレングリコール化合物が、次式の繰返し単位及びＯＲ10から選択される末端基を有する、請求項１記載の成形用組成物。
【化４】
2006512447.tif 000004
式中、Ｒ6、Ｒ7、Ｒ8及びＲ9は各々独立に水素又はＣ1〜Ｃ4アルキル基を表し、Ｒ10は水素、Ｃ1〜Ｃ4ヒドロカルビルである。
【請求項９】
物品の製造に有用な熱可塑性ポリマー成形用組成物であって、当該成形用組成物各１００部当たり、
重量平均分子量２８０００〜３２０００のポリオルガノシロキサン−ポリカーボネートブロックコポリマー、
重量平均分子量３００００〜６００００のビスフェノールＡホモポリカーボネート、並びに
ポリアルキレングリコール化合物及びポリアルキレングリコール化合物と重量平均分子量１０００〜１００００の低重量平均分子量ポリカーボネートポリマーとの混合物からなる群から選択される流動性向上剤０．２〜５部
を含んでなり、ポリオルガノシロキサン−ポリカーボネートブロックコポリマーが、次式のポリオルガノシロキサンブロック：
【化５】
2006512447.tif 000005
（式中、Ｒ1は水素、メトキシ又はアリルであり、「ａ」は４０〜５５の値を有する整数である。）と次式のポリカーボネートブロック：
【化６】
2006512447.tif 000006
とを含む、成形用組成物。
【請求項１０】
請求項１乃至請求項９のいずれか１項記載の成形用組成物を成形してなる物品。
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
次式のフッ素化ポリエーテル
Ｒf−（Ｑ−Ｔk）y  （Ｉ）
［式中、Ｒfは分子量が約７５０ｇ／モル〜約４０００ｇ／モルの１価または２価のペルフルオロ化ポリエーテル基を表し、Ｑは化学結合あるいは２価または３価の有機結合基を表し、Ｔは−Ｃ(Ｏ)Ｆ、−ＣＯ2Ｒ3（ここで、Ｒ3は水素、低級アルキル、シクロアルキルまたはアルカノールである）、−Ｃ(Ｏ)Ｎ(Ｒ1)(Ｒ2)（ここで、Ｒ1およびＲ2は独立に、低級アルキル、シクロアルキルまたはアルカノールである）、−ＯＨ、−ＳＨ−および−ＮＨ2からなる群から選択され、ｋは１または２であり、ｙは１または２である］、またはその混合物を含む、フルオロケミカル組成物。
【請求項２】
式（Ｉ）のＲfが次式
Ｒf1−(Ｏ−Ｒf2−(Ｒf3)q)y−
［式中、Ｒf1はペルフルオロ化アルキルまたはアルキレン基であり、Ｒf2は１、２、３または４個の炭素原子を有するペルフルオロ化アルキレンオキシ基あるいはこのようなペルフルオロ化アルキレンオキシ基の混合物からなるペルフルオロ化ポリアルキレンオキシ基であり、Ｒf3はペルフルオロ化アルキレン基であり、ｑは０または１であり、ｙは１または２である］
を有するものである、請求項１に記載の組成物。
【請求項３】
(a)Ｒf2が次式
−［ＣＦ(ＣＦ3)−ＣＦ2−Ｏ］n−
［式中、ｎは３〜２３の整数である］
を有するものである、又は
(b)Ｒf3がＣＦ(ＣＦ3)であり、ｑが１であり、Ｒf2が次式
−［ＣＦ(ＣＦ3)−ＣＦ2Ｏ］n−
［式中、ｎは３〜２３の整数である］
を有するものである、又は
(c)Ｔがヒドロキシ基およびアミノ基からなる群から選択される、
のうち少なくとも１つをさらに特徴とする、請求項２に記載の組成物。
【請求項４】
式（Ｉ）の前記フッ素化ポリエーテルが次式
Ｒf1−(Ｏ−(［ＣＦ(ＣＦ3)−ＣＦ2Ｏ］n−ＣＦ(ＣＦ3)−Ｑ−Ｔk）y
［式中、Ｒf1はペルフルオロ化アルキルまたはアルキレン基を表し、ｎは３〜２３の整数であり、Ｑは化学結合あるいは２価または３価の有機結合基であり、Ｔはヒドロキシまたはアミノであり、ｋは１または２であり、ｙは１または２である］
に対応する、請求項１に記載の組成物。